(57)【要約】  電子機器は、読取部（１１０）と、マーカー検出部（１０５）と、処理部（１０６）とを備える。マーカー検出部（１０５）は、画像データを解析して、画像データ内に示された第１マーカー箇所および第１マーカー箇所とは異なる態様で画像データ内に示された第２マーカー箇所を検出するとともに、当該第１マーカー箇所および第２マーカー箇所に示されたテキストを抽出する。処理部（１０６）は、第１マーカー箇所に示されたテキストを画像データのファイル名とし、第２マーカー箇所に示されたテキストを画像データを送信する送信先として、画像データを送信する処理を行う。
2017150084.tif 000002
【特許請求の範囲】
【請求項１】
原稿を示す画像データを取得する取得部と、
前記画像データを解析して、前記画像データ内に示された第１マーカー箇所および前記第１マーカー箇所とは異なる態様で前記画像データ内に示された第２マーカー箇所を検出するとともに、当該第１マーカー箇所および第２マーカー箇所に示されたテキストを抽出するマーカー検出部と、
前記第１マーカー箇所に示されたテキストを前記画像データのファイル名とし、前記第２マーカー箇所に示されたテキストを前記画像データを送信する送信先として、前記画像データを送信する処理を行う処理部と、を備える電子機器。
【請求項２】
前記処理部は、前記第２マーカー箇所に示されたテキストをＴＯ宛先とした電子メールの添付ファイルとして、前記画像データを送信する処理を行う、請求項１に記載の電子機器。
【請求項３】
前記処理部は、前記第１マーカー箇所および前記第２マーカー箇所とは異なる態様で示された第３マーカー箇所に示されたテキストを前記電子メールのＣＣ宛先とし、前記第１マーカー箇所、前記第２マーカー箇所、および前記第３マーカー箇所とは異なる態様で示された第４マーカー箇所に示されたテキストを前記電子メールのＢＣＣ宛先として、前記画像データを送信する処理を行う、請求項２に記載の電子機器。
【請求項４】
前記処理部は、前記第１マーカー箇所および前記第２マーカー箇所とは異なる態様で示された第５マーカー箇所に示されたテキストを前記電子メールの件名として、前記画像データを送信する処理を行う、請求項２に記載の電子機器。
【請求項５】
前記処理部は、前記第１マーカー箇所および前記第２マーカー箇所とは異なる態様で示された第６マーカー箇所に示されたテキストを前記電子メールの本文として、前記画像データを送信する処理を行う、請求項２に記載の電子機器。
【請求項６】
前記処理部は、前記第２マーカー箇所に示されたテキストが電子メールの宛先であるか、または本画像読取装置に内蔵された記憶部内の領域名であるかを判定し、
前記第２マーカー箇所に示されたテキストが電子メールの宛先である場合に、当該テキストを電子メールの宛先とした電子メールを送信する処理を前記画像データを送信する処理として行い、
前記第２マーカー箇所に示されたテキストが本画像読取装置に内蔵された記憶部内の領域を示す場合に、当該領域に前記画像データを記憶させる処理を前記画像データを送信する処理として行う、請求項２に記載の電子機器。
【請求項７】
前記マーカー検出部は、マーカーの色、マーカーの線種、およびマーカーの太さの少なくとも１つの要素に基づいて、前記画像データ内に示されたマーカー箇所が前記第１マーカー箇所または前記第２マーカー箇所であるかを判定する、請求項１に記載の電子機器。
【請求項８】
前記操作受付部は、ユーザー操作に応じて、マーカーの色、マーカーの線種、およびマーカーの太さの要素のうちから、１つまたは複数の要素の選択指示を受け付け、
前記マーカー検出部は、前記操作受付部が選択指示を受け付けた要素に基づいて、前記画像データ内に示されたマーカー箇所が前記第１マーカー箇所または前記第２マーカー箇所であるかを判定する、請求項７に記載の電子機器。
【請求項９】
前記処理部は、前記マーカー検出部が前記第２マーカー箇所を複数検出した場合に、当該複数の第２マーカー箇所に示された各テキストを前記画像データを送信する送信先として、当該複数の送信先に前記画像データを送信する処理を行う、請求項１に記載の電子機器。
【請求項１０】
前記処理部は、前記マーカー検出部が前記第１マーカー箇所を複数検出した場合に、当該複数の第１マーカー箇所に示された各テキストを結合したテキストを前記画像データのファイル名として、前記画像データを送信する処理を行う、請求項１に記載の電子機器。
【請求項１１】
前記取得部が取得した画像データが複数ページから構成されている場合、前記処理部は、前記複数のページのうち、前記マーカー検出部によりマーカーが検出されなかったページの画像データを送信する処理を行う、請求項１に記載の電子機器。
【請求項１２】
前記取得部が取得した画像データが複数ページから構成されている場合、前記処理部は、前記複数のページから構成される画像データを、前記マーカー検出部によりマーカーが検出されなかったページから構成される第１の画像データと、前記マーカー検出部によりマーカーが検出されたページから構成される第２の画像データとに分割し、当該分割した第１の画像データおよび第２の画像データを送信する処理を行う、請求項１に記載の電子機器。
【請求項１３】
前記マーカー検出部は、マーカーの色に基づいて、前記画像データ内に示されたマーカー箇所が前記第１マーカー箇所または前記第２マーカー箇所であるかを判定し、
表示部と、
前記第１マーカー箇所に対応する第１の色、および前記第２マーカー箇所に対応する第２の色の変更を受け付けるためのマーカー登録画面を前記表示部に表示させるとともに、当該マーカー登録画面に対して行われたユーザー操作に応じて、前記第１の色および前記第２の色を変更するマーカー登録部と、を更に備える、請求項１に記載の電子機器。
【請求項１４】
前記取得部は、原稿を読み取ることで前記画像データを取得する読取部であり、
前記マーカー登録部は、前記マーカー登録画面に対して行われたユーザー操作に応じて前記読取部に原稿を読み取らせ、前記第１の色または前記第２の色を当該原稿の読み取りによりに前記読取部が取得した画像データに示された色に変更する、請求項１３に記載の電子機器。
【請求項１５】
前記処理部は、前記取得部が取得した画像データから、前記マーカー検出部が検出した前記第１マーカー箇所および前記第２マーカー箇所に示されたマーキングを除去し、当該除去後の画像データを送信する処理を行う、請求項１に記載の電子機器。
【請求項１６】
前記処理部は、前記取得部が取得した画像データに対して、前記第１マーカー箇所に示されたテキストが前記画像データのファイル名であり、前記第２マーカー箇所に示されたテキストが前記画像データを送信する送信先であることを示す情報を付加したデータを生成し、当該生成したデータを送信する処理を行う、請求項１に記載の電子機器。
【請求項１７】
原稿を示す画像データを取得する取得ステップと、
前記画像データを解析して、前記画像データ内に示された第１マーカー箇所および前記第１マーカー箇所とは異なる態様で前記画像データ内に示された第２マーカー箇所を検出するとともに、当該第１マーカー箇所および第２マーカー箇所に示されたテキストを抽出するマーカー検出ステップと、
前記第１マーカー箇所に示されたテキストを前記画像データのファイル名とし、前記第２マーカー箇所に示されたテキストを前記画像データを送信する送信先として、前記画像データを送信する処理を行う処理ステップと、を含む、マーカー処理方法。
【発明の詳細な説明】
【技術分野】
【０００１】
本発明は、画像データからマーカーペンによりマーキングされたマーカー箇所を抽出する技術に関する。
【背景技術】
【０００２】
下記の特許文献１には、読み取り対象の原稿にマーカー箇所が含まれるか否かを判定し、マーカー箇所が含まれる場合には当該マーカー箇所に示された画像を削除したり単一色の画像で置き換える技術が開示されている。この技術によれば、ユーザーは、原稿内の所望の領域をマーカーペンによりマーキングすることで、画像読取装置に読み取られる対象から除くことができる。
【先行技術文献】
【特許文献】
【０００３】
【特許文献１】特開２００５−１６７８７５号公報
【発明の概要】
【発明が解決しようとする課題】
【０００４】
ところで、画像読取装置で読み取った原稿の画像データを電子メールで送信したり、ＨＤＤ（Hard Disk Drive）などの記憶部に保存する場合がある。この場合、ユーザーは、電子メールの宛先であるメールアドレスや記憶部の記憶先であるディレクトリ名などの送信先を入力する必要がある。またユーザーは、原稿の画像データのファイル名を入力する必要がある。【０００５】
しかしながら、画像読取装置に設けられたタッチパネルやハードキーを用いて上記の画像データの送信先やファイル名などを入力するのは煩わしく、ユーザー利便性に欠ける。【０００６】
本発明は、上記の事情に鑑みなされたものであり、原稿の画像データを送信する場合において、マーカーペンによるマーキングにより、画像データの送信先やファイル名を入力しなくとも画像データを送信することを可能にすることを目的とする。
【課題を解決するための手段】
【０００７】
本発明の一局面にかかる電子機器は、原稿を示す画像データを取得する取得部と、前記画像データを解析して、前記画像データ内に示された第１マーカー箇所および前記第１マーカー箇所とは異なる態様で前記画像データ内に示された第２マーカー箇所を検出するとともに、当該第１マーカー箇所および第２マーカー箇所に示されたテキストを抽出するマーカー検出部と、前記第１マーカー箇所に示されたテキストを前記画像データのファイル名とし、前記第２マーカー箇所に示されたテキストを前記画像データを送信する送信先として、前記画像データを送信する処理を行う処理部と、を備える電子機器である。【０００８】
また、本発明の別の一局面にかかるマーカー処理方法は、原稿を示す画像データを取得する取得ステップと、前記画像データを解析して、前記画像データ内に示された第１マーカー箇所および前記第１マーカー箇所とは異なる態様で前記画像データ内に示された第２マーカー箇所を検出するとともに、当該第１マーカー箇所および第２マーカー箇所に示されたテキストを抽出するマーカー検出ステップと、前記第１マーカー箇所に示されたテキストを前記画像データのファイル名とし、前記第２マーカー箇所に示されたテキストを前記画像データを送信する送信先として、前記画像データを送信する処理を行う処理ステップと、を含む、マーカー処理方法である。
【発明の効果】
【０００９】
本発明によれば、原稿の画像データを送信する場合において、マーカーペンによるマーキングにより、画像データの送信先やファイル名を入力しなくとも画像データを送信することが可能となる。
【図面の簡単な説明】
【００１０】
【図１】本発明の一実施形態にかかる電子機器の一例である画像読取装置を備えた画像形成装置を示す斜視図である。
【図２】本発明の一実施形態にかかる電子機器の一例である画像読取装置を備えた画像形成装置の内部構成を示すブロック図である。
【図３】本発明の一実施形態にかかる電子機器の一例である画像読取装置の動作の流れを示すフローチャートである。
【図４】本発明の一実施形態にかかる電子機器の一例である画像読取装置が取得した画像データの一例を示す図である。
【図５】本発明の一実施形態にかかる電子機器の一例である画像読取装置の記憶部に記憶されるデータの一例を示す図である。
【図６】本発明の一実施形態にかかる電子機器の一例である画像読取装置の表示部に表示されるマーカー登録画面の一例を示す図である。
【図７】（Ａ）は、本発明の一実施形態にかかる電子機器の一例である画像読取装置の表示部に表示される報知画面の一例を示す図であり、（Ｂ）は、表示部に表示されるテキスト変更画面の一例を示す図である。
【図８】本発明の一実施形態にかかる電子機器の一例である画像読取装置の表示部に表示されるファイル送信画面の一例を示す図である。
【発明を実施するための形態】
【００１１】
以下、本発明の一実施形態にかかる電子機器およびマーカー処理方法について図面を参照して説明する。
【００１２】
図１は、本発明の一実施形態にかかる電子機器の一例である画像読取装置を備えた画像形成装置を示す斜視図である。図２は、画像形成装置の内部構成を示すブロック図である。
【００１３】
画像形成装置１０は、例えば、コピー機能、プリンター機能、スキャナー機能、及びファクシミリ機能などの複数の機能を兼ね備えた複合機である。画像形成装置１０は、装置本体１１と、装置本体１１の上方に配置された画像読取部１１０と、画像読取部１１０と装置本体１１との間に設けられた連結部１２とから概略構成される。
【００１４】
装置本体１１は、画像形成部１２０や給紙部１３などを備えて構成されている。
【００１５】
画像形成装置１０が画像読取動作を行う場合、後述する動作制御部１０２による制御のもと、画像読取部１１０（取得部）が原稿載置台１１１に載置された原稿束を順次読み取り、複数のページからなる画像データを生成する。当該画像データは、記憶部１６０に記憶される。なお、画像形成装置１０は、画像読取部１１０が原稿束を読み取って画像データを取得するのではなく、通信部１７０がＰＣ（Personal Computer）などの他の情報処理装置から画像データを受信することで原稿を示す画像データを取得してもよい。
【００１６】
画像形成装置１０が画像形成動作を行う場合は、記憶部１６０に記憶された画像データなどに基づいて、動作制御部１０２による制御のもと、画像形成部１２０が給紙部１３から給紙される記録紙にトナー像を形成する。その後、記録紙上に形成されたトナー像は、不図示の定着部により熱定着される。定着処理の完了した画像形成済みの記録紙は、排出トレイ１４に排出される。
【００１７】
画像形成装置１０の外郭を構成する筐体の前面には、表示部１３０および操作部１５０が配置されている。表示部１３０は、液晶ディスプレイ（ＬＣＤ：Liquid Crystal Display）や有機ＥＬ（ＯＬＥＤ：Organic Light-Emitting Diode）ディスプレイを含んで構成される。表示部１３０は動作制御部１０２による制御のもと、メニュー画面などを表示する。
【００１８】
表示部１３０の前面には、タッチパネル１４０が配置されている。タッチパネル１４０は、所謂抵抗膜方式や静電容量方式などのタッチパネルであって、タッチパネル１４０上におけるユーザーによる接触（タッチ）をその接触位置とともに検知する。
【００１９】
操作部１５０は、例えば、メニューを呼び出すメニューキー、メニューを構成するＧＵＩのフォーカスを移動させる矢印キー、メニューを構成するＧＵＩに対して確定操作を行う決定キーなどを備えるハードキーである。
【００２０】
記憶部１６０は、ＨＤＤなどの大容量の記憶装置である。
【００２１】
通信部１７０は、無線ＬＡＮボードなどの通信モジュールから構成されるネットワークインターフェイスである。
【００２２】
画像形成装置１０は、更に、制御ユニット１００を備えている。制御ユニット１００は、（Central Processing Unit）、ＲＡＭ(Random Access Memory）、及びＲＯＭ（Read Only Memory）などから構成される。制御ユニット１００は、上記のＲＯＭまたは記憶部１６０に記憶されたプログラムが上記のＣＰＵに実行されることにより、制御部１０１、動作制御部１０２、操作受付部１０３、通信制御部１０４、マーカー検出部１０５、マーカー処理部１０６、およびマーカー登録部１０７として機能する。なお、制御ユニット１００の上記の各構成は、プログラムに基づく動作によらず、それぞれハード回路により構成されてもよい。
【００２３】
制御部１０１は、画像形成装置１０の全体的な動作制御を司る。
【００２４】
操作受付部１０３は、タッチパネル１４０から出力される検知信号に基づき、タッチパネル１４０に対するユーザー操作を受け付ける機能を有する。また、操作受付部１０３は、ハードキーなどの操作部１５０を用いたユーザー操作を受け付ける機能を有する。
【００２５】
通信制御部１０４は、通信部１７０による通信動作を制御する機能を有する。通信部１７０は、通信制御部１０４による制御のもと、ＰＣ（Personal Computer）などの他の情報処理装置へ画像データを送信する。
【００２６】
動作制御部１０２は、画像読取部１１０による画像読取動作や表示部１３０による表示動作などを制御する機能を有する。
【００２７】
マーカー検出部１０５は、画像読取部１１０が原稿を読み取って取得した画像データを解析して、原稿においてマーカーによりマーキングされたマーカー箇所を検出する機能を有する。また、マーカー検出部１０５は、検出したマーカー箇所に示されるテキストを抽出する機能を有する。
【００２８】
マーカー処理部１０６は、マーカー検出部１０５が抽出したテキストに示される情報を用いて、通信部１７０に電子メールで画像データを送信させたり、記憶部１６０に画像データを記憶させたりする機能を有する。
【００２９】
マーカー登録部１０７は、後述するマーカーの第１の色から第５の色の各色の設定または変更を受け付ける機能を有する。
【００３０】
続いて、上記の構成を備える画像形成装置１０の画像読取動作について説明する。図３は、画像形成装置１０の画像読取動作の流れを示すフローチャートである。
【００３１】
操作受付部１０３が画像読取指示を受け付けると（ステップＳ１０においてＹＥＳ）、動作制御部１０２は、画像読取部１１０を制御して画像読取処理を実行する（ステップＳ１１）。当該ステップＳ１１の処理により、画像読取部１１０は、原稿を示す画像データを取得する。
【００３２】
図４は、画像読取部１１０が取得した画像データの一例を示す図である。本図に示す例は、原稿載置台１１１に６枚の原稿が載置された場合を示し、画像読取部１１０は、画像データａ１〜ａ６の６ページからなる画像データを取得している。
【００３３】
図３に戻って、マーカー検出部１０５は、ステップＳ１１の処理で画像読取部１１０が取得した画像データを解析して、画像データに含まれるマーカー箇所を検出するマーカー検出処理を行う（ステップＳ１２）。また、マーカー検出部１０５は、検出したマーカー箇所に示されるテキストを抽出する。
【００３４】
図４に示す例では、原稿載置台１１１に載置された１枚目の原稿にマーカーペンによる複数のマーキングが施されており、その結果、１ページ目の画像データａ１には、複数のマーカー箇所（図中において点線で囲まれた箇所）が含まれている。点線ｍ１で囲んだ部分は、赤色によりマーキングされたマーカー箇所を示し、点線ｍ２で囲んだ部分は、青色によりマーキングされたマーカー箇所を示し、点線ｍ３で囲んだ部分は、オレンジ色によりマーキングされたマーカー箇所を示し、点線ｍ４で囲んだ部分は、黄色によりマーキングされたマーカー箇所を示す。
【００３５】
図５は、記憶部１６０に記憶されるデータの一例を示す図である。本図に示すように、記憶部１６０には、電子メールのＴＯ宛先、ＣＣ宛先、ＢＣＣ宛先、件名、および画像データのファイル名のそれぞれについて、対応するマーカーの色が示されたマーカー色テーブルが予め記憶されている。
【００３６】
例えば、電子メールのＴＯ宛先に対応する色として赤色が予め設定されている。マーカー検出部１０５は、原稿内において予め定められた長さ以上の幅の赤色の直線を第１マーカー箇所として検出する。そして、マーカー検出部１０５は、第１マーカー箇所に示されたテキスト「taro.yamada@xxx.jp」を、電子メールのＴＯ宛先を示すテキストとして抽出する。
【００３７】
また、電子メールのＣＣ（Carbon Copy）宛先に対応する色として青色が予め設定されている。マーカー検出部１０５は、原稿内において予め定められた長さ以上の幅の青色の直線を第２マーカー箇所として検出する。図４に示す例では、マーカー検出部１０５は２つの第２マーカー箇所を検出する。そして、マーカー検出部１０５は、２つの第２マーカー箇所に示された各テキスト「ichiro.suzuki@yyy.jp」および「hanako.miki@xyz.jp」を、電子メールのＣＣ宛先を示すテキストとして抽出する。
【００３８】
また、電子メールのＢＣＣ（Blind Carbon Copy）宛先に対応する色として緑色が予め設定されている。マーカー検出部１０５は、原稿内において予め定められた長さ以上の幅の緑色の直線を第３マーカー箇所として検出する。図４に示す例では、緑色によりマーキングされたマーカー箇所がないため、マーカー検出部１０５は、第３マーカー箇所を検出せず、電子メールのＢＣＣ宛先を示すテキストを抽出しない。
【００３９】
また、電子メールの件名に対応する色として黄色が予め設定されている。マーカー検出部１０５は、原稿内において予め定められた長さ以上の幅の黄色の直線を第４マーカー箇所として検出する。そして、マーカー検出部１０５は、第４マーカー箇所に示されたテキスト「月曜日の打ち合わせの件」を、電子メールの件名を示すテキストとして抽出する。
【００４０】
また、画像データのファイル名に対応する色としてオレンジ色が予め設定されている。マーカー検出部１０５は、原稿内において予め定められた長さ以上の幅のオレンジ色の直線を第５マーカー箇所として検出する。そして、マーカー検出部１０５は、第５マーカー箇所に示されたテキスト「打ち合わせ」を、画像データのファイル名を示すテキストとして抽出する。
【００４１】
なお、表示部１３０は、動作制御部１０２による制御のもと、図６に示すマーカー登録画面Ｄ１を表示する。マーカー登録画面Ｄ１には、電子メールのＴＯ宛先、ＣＣ宛先、ＢＣＣ宛先、件名、および画像データのファイル名のそれぞれについて、プルダウンメニューｄ１〜ｄ５が設けられている。ユーザーは、当該プルダウンメニューｄ１〜ｄ５を操作することで、電子メールのＴＯ宛先、ＣＣ宛先、ＢＣＣ宛先、件名、および画像データのファイル名のそれぞれに対応する色を変更することができる。マーカー登録部１０７は、操作受付部１０３がプルダウンメニューｄ１〜ｄ５の操作を受け付けると、記憶部１６０に記憶されるマーカー色テーブルを書き換える。
【００４２】
また、マーカー登録画面Ｄ１には、電子メールのＴＯ宛先、ＣＣ宛先、ＢＣＣ宛先、件名、および画像データのファイル名のそれぞれについて、読み込み登録ボタンｄ６〜ｄ１０が設けられている。マーカー登録部１０７は、操作受付部１０３が読み込み登録ボタンｄ６〜ｄ１０の押下操作を受け付けると、画像読取部１１０に原稿載置台１１１に載置された原稿を読み取らせる。そしてマーカー登録部１０７は、画像読取部１１０が取得した画像データに含まれるマーカーの色の色情報（ＲＧＢ情報）を記憶部１６０に記憶させ、マーカー色テーブルを書き換える。これにより、ユーザーが所有するマーカーの色がマーカー登録画面Ｄ１に設けられたプルダウンメニューの中にない場合であっても、そのマーカーの色を登録することが可能となる。
【００４３】
図３に戻って、マーカー箇所が検出されなかった場合（ステップＳ１３においてＮＯ）、表示部１３０は、動作制御部１０２による制御のもと、原稿の読み取り結果を示す表示画面を表示する（ステップＳ１４）。当該表示画面には、原稿の読み取りにより画像読取部１１０が取得した画像データが示される。
【００４４】
ステップＳ１４の処理後、動作制御部１０２は、記憶部１６０に画像データを記憶させ（ステップＳ１５）、原稿読み取り処理を終える。
【００４５】
一方、マーカー箇所が検出された場合（ステップＳ１３においてＹＥＳ）、表示部１３０は、動作制御部１０２による制御のもと、マーカーが検出されたことを示す報知画面を表示する（ステップＳ１６）。図７（Ａ）は、表示部１３０が表示する報知画面Ｄ２の一例を示す図である。報知画面Ｄ２には、原稿の読み取りにより画像読取部１１０が取得した画像データとともに、マーカーが検出されたことを示すテキストが示されている。
【００４６】
図３に戻って、操作受付部１０３がユーザー操作に基づいてマーカーの検出結果を確認する旨の指示を受け付けた場合（ステップＳ１７においてＹＥＳ）、表示部１３０は、動作制御部１０２による制御のもと、マーカー検出結果の確認画面を表示する（ステップＳ１８）。そして、当該確認画面において操作受付部１０３がマーカー検出部１０５により抽出されたテキストを変更する指示を受け付けると（ステップＳ１９においてＹＥＳ）、マーカー検出部１０５は、操作受付部１０３が受け付けた指示に応じて変更されたテキストを受け付ける（ステップＳ２０）。当該ステップＳ２０の処理後、ファイル送信画面を生成する処理（ステップＳ２１）に移る。
【００４７】
一方、操作受付部１０３がマーカーの検出結果を確認する旨の指示を受け付けない場合（ステップＳ１７においてＮＯ）や、抽出されたテキストを変更する指示を受け付けない場合（ステップＳ１９においてＮＯ）、テキストを変更するステップＳ２０の処理を実行せずに、ファイル送信画面を生成する処理（ステップＳ２１）に移る。
【００４８】
ここで、図７（Ａ）に示す例では、報知画面Ｄ２にボタンｄ１１およびｄ１２が設けられている。操作受付部１０３は、ボタンｄ１１の押下操作をマーカーの検出結果を確認する旨の指示として受け付ける。ボタンｄ１１の押下操作がなされた場合、表示部１３０は、図７（Ｂ）に示すテキスト変更画面Ｄ３を表示する。ユーザーは、マーカー検出部１０５により抽出されたテキストが所望のものでない場合、当該テキスト変更画面Ｄ３において「いいえ」ボタンを押下することで、テキストの内容を変更することが可能になる。
【００４９】
図３に戻って、ステップＳ２１の処理では、マーカー処理部１０６は、マーカー検出部１０５により抽出されたテキストに示される情報を用いて、ファイル送信画面を生成する。そして、表示部１３０は、ステップＳ２１の処理で生成されたファイル送信画面を表示する（ステップＳ２２）。
【００５０】
図８は、表示部１３０が表示するファイル送信画面Ｄ４の一例を示す図である。ファイル送信画面Ｄ４は、電子メールの送信画面であって、ＴＯ宛先の入力指示を受け付けるためのＴＯ宛先入力欄ｄ１３、ＣＣ宛先の入力指示を受け付けるためのＣＣ宛先入力欄ｄ１４、ＢＣＣ宛先の入力指示を受け付けるためのＢＣＣ宛先入力欄ｄ１５、件名の入力指示を受け付けるための件名入力欄ｄ１６、添付ファイルである画像データのファイル名を受け付けるファイル名入力欄ｄ１７、およびメール本文の入力指示を受け付けるためのメール本文入力欄ｄ１８が設けられている。
【００５１】
ＴＯ宛先入力欄ｄ１３、ＣＣ宛先入力欄ｄ１４、件名入力欄ｄ１６、およびファイル名入力欄ｄ１７には、ステップＳ１２の処理によりマーカー検出部１０５が検出した各テキストが予め入力される。これにより、ユーザーが操作部１５０などを用いて画像データの送信先やファイル名を入力しなくとも、マーカーペンによるマーキングにより画像データの送信先やファイル名を指定することが可能となる。
【００５２】
図３に戻って、操作受付部１０３が送信指示を受け付けた場合（ステップＳ２３においてＹＥＳ）、マーカー処理部１０６は、通信部１７０に電子メールを送信させる（ステップＳ２４）。図８に示す例では、操作受付部１０３が送信ボタンｄ１９の選択を受け付けると、マーカー処理部１０６は、ファイル送信画面Ｄ４の上記の各入力欄に入力された情報に応じたメールデータを生成して、通信部１７０に当該メールデータを送信させる。
【００５３】
以上のように、本発明の一実施形態にかかる画像読取装置によれば、マーカー検出部１０５が、原稿において予め定められた第５の色によりマーキングされた第５マーカー箇所および予め定められた第１の色によりマーキングされた第１マーカー箇所を検出するとともに、当該第５マーカー箇所および第１マーカー箇所に示されたテキストを抽出する。そして、マーカー処理部１０６が、第５マーカー箇所に示されたテキストを画像データのファイル名とし、第１マーカー箇所に示されたテキストを画像データを送信する送信先として、画像データを送信する処理を行う。
【００５４】
これにより、画像データの送信先やファイル名を入力しなくとも、マーカーによるマーキングにより画像データの送信先やファイル名を指定して画像データを送信することが可能になる。
【００５５】
また、マーカー処理部１０６は、第１マーカー箇所に示されたテキストをＴＯ宛先とした電子メールの添付ファイルとして、画像データを送信する処理を行う。
【００５６】
これにより、原稿の読み取りにより得られた画像データを電子メールで送信する際に、電子メールに添付するファイルを選択するという操作をユーザーが省略することができる。
【００５７】
また、マーカー処理部１０６は、予め定められた第２の色によりマーキングされた第２マーカー箇所に示されたテキストを電子メールのＣＣ宛先とし、予め定められた第３の色によりマーキングされた第３マーカー箇所に示されたテキストを電子メールのＢＣＣ宛先として、画像データを送信する処理を行う。
【００５８】
これにより、ユーザーがマーキングする色を変えることで、ＴＯ宛先、ＣＣ宛先、ＢＣＣ宛先といった宛先の属性を指定することが可能になる。
【００５９】
また、マーカー処理部１０６は、予め定められた第４の色によりマーキングされた第４マーカー箇所に示されたテキストを電子メールの件名として、画像データを送信する処理を行う。
【００６０】
これにより、電子メールの件名を入力しなくとも、マーカーによるマーキングにより電子メールの件名を指定して画像データを送信することが可能になる。
【００６１】
なお、本発明は、上記の実施の形態の構成に限られず種々の変形が可能である。
【００６２】
＜変形例１＞
上記の実施形態では、原稿の読み取りにより取得した画像データを送信する手段が電子メールである場合を説明した。しかしながら、本発明は必ずしもこの場合に限定されない。原稿の読み取りにより取得した画像データを記憶部１６０内の保存先に送信してもよい。
【００６３】
この場合、マーカー処理部１０６は、マーカー検出部１０５により抽出されたテキストが電子メールの宛先であるか、または記憶部１６０内の領域名（ディレクトリ名）であるかを判定する。具体的には、マーカー処理部１０６は、メール宛先に対応付けられた色（赤色、青色、または緑色）でマーキングされたマーカー箇所に示されるテキストを解析する。当該テキストに例えばアットマーク（＠）などの電子メールの宛先に含まれると考えられる文字が示されている場合、マーカー処理部１０６は、マーカー検出部１０５により抽出されたテキストが電子メールの宛先であると判定する。一方、当該テキストに例えばスラッシュマーク（／）などのディレクトリ名に含まれると考えられる文字が示される場合、マーカー処理部１０６は、マーカー検出部１０５により抽出されたテキストがディレクトリ名であると判定する。
【００６４】
そして、マーカー処理部１０６は、マーカー検出部１０５により抽出されたテキストが電子メールの宛先である場合、当該テキストを電子メールの宛先とした電子メールを送信する処理を画像データを送信する処理として行う。
【００６５】
一方、マーカー処理部１０６は、マーカー検出部１０５により抽出されたテキストがディレクトリ名である場合、当該ディレクトリ名の領域に画像データを記憶させる処理を画像データを送信する処理として行う。
【００６６】
このように変形例１にかかる画像読取装置によれば、読み取りにより得られた画像データを記憶部１６０内の所望の領域に記憶させる処理を、ディレクトリ名を入力せずに実行することが可能になる。
【００６７】
＜変形例２＞
マーカー処理部１０６は、マーカー検出部１０５がマーカー箇所を複数検出した場合に、当該複数のマーカー箇所に示された各テキストを結合したテキストを画像データのファイル名や件名として、画像データを送信する処理を行ってもよい。
【００６８】
例えば、図４に示す例で、「月曜日の打ち合わせの件」および「３名が出席」の２箇所が黄色でマーキングされている場合、マーカー処理部１０６は、「月曜日の打ち合わせの件」および「３名が出席」を結合した「月曜日の打ち合わせの件  ３名が出席」を画像データの件名として、画像データを送信する処理を行う。
【００６９】
このように変形例２にかかる画像読取装置によれば、原稿内の離れた位置に示された複数のテキストを用いて画像データのファイル名や件名を指定することが可能になる。
【００７０】
＜変形例３＞
上記の実施形態では、画像読取部１１０が取得した画像データの全てのページを電子メールの添付ファイルとして送信する場合を説明した。しかしながら、本発明は必ずしもこの場合に限定されない。マーカー処理部１０６は、画像データの全てのページを送信するのではなく、マーカー検出部１０５によりマーカーが検出されなかったページの画像データを送信する処理を行ってもよい。この場合図４に示す例では、マーカー処理部１０６は、１ページ目の画像データを除く２ページ目から６ページ目までの画像データを送信する処理を行う。
【００７１】
ユーザーによりマーキングされる原稿が送信先やファイル名を指定するためだけに用いられるものである場合、当該原稿を示す画像データを送信する必要がない。この点、変形例３にかかる画像読取装置によれば、送信先やファイル名を指定するためだけに用いられた原稿を示す画像データを、送信するデータから除くことができる。
【００７２】
また、マーカー処理部１０６は、画像読取部１１０が取得した複数のページから構成される画像データを、マーカー検出部１０５によりマーカーが検出されなかったページから構成される画像データと、マーカー検出部１０５によりマーカーが検出されたページから構成される画像データと、に分割してもよい。そして、マーカー処理部１０６は、当該分割した２つの画像データを送信する処理を行う。図４に示す例では、マーカー処理部１０６は、図４に示す画像データを、２ページ目から６ページ目までの画像から構成される第１の画像データと、１ページ目の画像から構成される第２の画像データと、に分割し、当該第１の画像データおよび第２の画像データを電子メールの添付ファイルとして送信する処理を行う。
【００７３】
更には、マーカー検出部１０５が、マーカー検出の際に、画像データの各ページの予め定められた領域（例えばページの上部や下部）にページ番号が示されているか否かを判定してもよい。マーカー処理部１０６は、マーカー検出部１０５によりページ番号が示されていると判定された場合には、上記の実施形態で行ったように、画像読取部１１０が取得した画像データの全ページを送信する処理を行う。一方、マーカー処理部１０６は、マーカー検出部１０５によりページ番号が示されていないと判定された場合には、上記の変形例３で行ったように、画像データの全てのページを送信するのではなく、マーカー検出部１０５によりマーカーが検出されなかったページの画像データを送信する処理を行う。
【００７４】
原稿に連続したページ番号が付与されている場合、マーキングされた原稿であっても、その原稿が送信先やファイル名を指定するためだけに用いられるものである可能性が低い。このため、上記の処理を行うことにより、マーキングされた原稿であっても送信先やファイル名を指定するためだけに用いられた原稿でない場合は当該原稿の画像データを送信するが、送信先やファイル名を指定するためだけに用いられた原稿である場合には当該原稿の画像データを送信しないことができる。
【００７５】
＜変形例４＞
上記の実施形態では、マーカー検出部１０５がマーカーの色に基づき、画像データ内に異なる態様で示されたマーカー箇所がいずれのマーカー箇所（例えば、第１マーカー箇所または第２マーカー箇所）であるかを判定する場合を説明したが、本発明は必ずしもこの場合に限定されない。マーカー検出部１０５は、マーカーの色、マーカーの線種、およびマーカーの太さの少なくとも１つの要素に基づいて、画像データ内に示されたマーカー箇所がいずれのマーカー箇所であるかを判定してもよい。
【００７６】
この場合、記憶部１６０には、電子メールのＴＯ宛先、ＣＣ宛先、ＢＣＣ宛先、件名、および画像データのファイル名のそれぞれについて、対応するマーカーの線種（例えば、実線や点線など）やマーカーの太さが示されたテーブルが予め記憶されている。マーカー検出部１０５は、記憶部１６０に記憶されている当該テーブルを参照して、上記の判定処理を行う。
【００７７】
＜変形例５＞
また、マーカー検出部１０５は、マーカーの色、マーカーの線種、およびマーカーの太さの要素のうち、ユーザーにより指定された要素に基づいて、画像データ内に異なる態様で示されたマーカー箇所がいずれのマーカー箇所（例えば、第１マーカー箇所または第２マーカー箇所）であるかを判定してもよい。
【００７８】
操作受付部１０３は、操作部１５０やタッチパネル機能を用いて入力されたユーザー操作に応じて、マーカーの色、マーカーの線種、およびマーカーの太さの要素のうちから、１つまたは複数の要素の選択指示を受け付ける。そして、マーカー検出部１０５は、操作受付部１０５が選択指示を受け付けた要素に基づいて上記の判定処理を行う。例えば、操作受付部１０３がマーカーの線種の要素の選択指示を受け付けた場合、マーカー検出部１０５は、マーカーの線種の要素のみに基づいて上記の判定処理を行い、マーカーの色やマーカーの太さの要素に基づいて上記の判定処理を行わない。すなわち、マーカーの色やマーカーの太さが異なっている２つのマーカー箇所であっても、その２つのマーカー箇所がともに同じマーカーの線種である場合には、マーカー検出部１０５は、同じマーカー箇所（第１マーカー箇所または第２マーカー箇所）であることを判定する。
【００７９】
上記のような処理を行うことにより、例えば、以前は赤マーカーで線を引いていたが、現在の手元には青マーカーしかない場合であっても、ユーザーが同じマーカー箇所と判定される線をマーキングすることができる。
【００８０】
＜変形例６＞
上記の実施形態では、マーカー処理部１０６が、マーカー箇所から、ＴＯ宛先、ＣＣ宛先、ＢＣＣ宛先、件名、および画像データのファイル名を示すテキストを抽出して処理を行う場合を説明したが、本発明は必ずしもこの場合に限定されない。
【００８１】
マーカー処理部１０６は、上記の第１マーカー箇所から第５マーカー箇所とは異なる態様で示された第６マーカー箇所に示されたテキストを電子メールの本文として抽出し、当該抽出したテキストを電子メールの本文として用いて画像データを送信する処理を行ってもよい。
【００８２】
＜変形例７＞
マーカー処理部１０６は、画像読取部１１０が取得した画像データをそのまま送信するのではなく、何らかの処理を施して、当該処理後の画像データを送信してもよい。
【００８３】
マーカー処理部１０６は、例えば、画像読取部１１０が取得した画像データから、マーカー検出部１０５が検出したマーカー箇所に示されたマーキングを除去する処理を行い、当該除去後の画像データを送信してもよい。
【００８４】
また、マーカー処理部１０６は、画像読取部１１０が取得した画像データに対して、第１マーカー箇所に示されたテキストが画像データのファイル名であり、第２マーカー箇所に示されたテキストが画像データを送信する送信先であることを示す情報などを所謂メタデータとして付加したデータ（例えば、ドキュメントデータやＰＤＦ（Portable Document Format）データ）を生成し、当該生成したデータを送信してもよい。
【図１】
2017150084.tif 000003
【図２】
2017150084.tif 000004
【図３】
2017150084.tif 000005
【図４】
2017150084.tif 000006
【図５】
2017150084.tif 000007
【図６】
2017150084.tif 000008
【図７】
2017150084.tif 000009
【図８】
2017150084.tif 000010
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
原稿を示す画像データを取得する取得部と、
前記画像データを解析して、前記画像データ内に示された第１マーカー箇所および前記第１マーカー箇所とは異なる態様で前記画像データ内に示された第２マーカー箇所を検出するとともに、当該第１マーカー箇所および第２マーカー箇所に示されたテキストを抽出するマーカー検出部と、
前記第１マーカー箇所に示されたテキストを前記画像データのファイル名とし、前記第２マーカー箇所に示されたテキストを前記画像データを送信する送信先として、前記画像データを送信する処理を行う処理部と、
ユーザー操作に応じて、マーカーの色、マーカーの線種、およびマーカーの太さの要素のうちから、１つまたは複数の要素の選択指示を受け付ける操作受付部と、を備え、
前記マーカー検出部は、前記操作受付部が選択指示を受け付けた要素に基づいて、前記画像データ内に示されたマーカー箇所が前記第１マーカー箇所または前記第２マーカー箇所であるかを判定する、電子機器。
【請求項２】
前記処理部は、前記第２マーカー箇所に示されたテキストをＴＯ宛先とした電子メールの添付ファイルとして、前記画像データを送信する処理を行う、請求項１に記載の電子機器。
【請求項３】
前記処理部は、前記第１マーカー箇所および前記第２マーカー箇所とは異なる態様で示された第３マーカー箇所に示されたテキストを前記電子メールのＣＣ宛先とし、前記第１マーカー箇所、前記第２マーカー箇所、および前記第３マーカー箇所とは異なる態様で示された第４マーカー箇所に示されたテキストを前記電子メールのＢＣＣ宛先として、前記画像データを送信する処理を行う、請求項２に記載の電子機器。
【請求項４】
前記処理部は、前記第１マーカー箇所および前記第２マーカー箇所とは異なる態様で示された第５マーカー箇所に示されたテキストを前記電子メールの件名として、前記画像データを送信する処理を行う、請求項２に記載の電子機器。
【請求項５】
前記処理部は、前記第１マーカー箇所および前記第２マーカー箇所とは異なる態様で示された第６マーカー箇所に示されたテキストを前記電子メールの本文として、前記画像データを送信する処理を行う、請求項２に記載の電子機器。
【請求項６】
前記処理部は、前記第２マーカー箇所に示されたテキストが電子メールの宛先であるか、または本画像読取装置に内蔵された記憶部内の領域名であるかを判定し、
前記第２マーカー箇所に示されたテキストが電子メールの宛先である場合に、当該テキストを電子メールの宛先とした電子メールを送信する処理を前記画像データを送信する処理として行い、
前記第２マーカー箇所に示されたテキストが本画像読取装置に内蔵された記憶部内の領域を示す場合に、当該領域に前記画像データを記憶させる処理を前記画像データを送信する処理として行う、請求項２に記載の電子機器。
【請求項７】
前記処理部は、前記マーカー検出部が前記第２マーカー箇所を複数検出した場合に、当該複数の第２マーカー箇所に示された各テキストを前記画像データを送信する送信先として、当該複数の送信先に前記画像データを送信する処理を行う、請求項１に記載の電子機器。
【請求項８】
前記取得部が取得した画像データが複数ページから構成されている場合、前記処理部は、前記複数のページのうち、前記マーカー検出部によりマーカーが検出されなかったページの画像データを送信する処理を行う、請求項１に記載の電子機器。
【請求項９】
前記取得部が取得した画像データが複数ページから構成されている場合、前記処理部は、前記複数のページから構成される画像データを、前記マーカー検出部によりマーカーが検出されなかったページから構成される第１の画像データと、前記マーカー検出部によりマーカーが検出されたページから構成される第２の画像データとに分割し、当該分割した第１の画像データおよび第２の画像データを送信する処理を行う、請求項１に記載の電子機器。
【請求項１０】
前記マーカー検出部は、前記操作受付部が選択指示を受け付けた要素であるマーカーの色に基づいて、前記画像データ内に示されたマーカー箇所が前記第１マーカー箇所または前記第２マーカー箇所であるかを判定し、
表示部と、
前記第１マーカー箇所に対応する第１の色、および前記第２マーカー箇所に対応する第２の色の変更を受け付けるためのマーカー登録画面を前記表示部に表示させるとともに、当該マーカー登録画面に対して行われたユーザー操作に応じて、前記第１の色および前記第２の色を変更するマーカー登録部と、を更に備える、請求項１に記載の電子機器。
【請求項１１】
前記取得部は、原稿を読み取ることで前記画像データを取得する読取部であり、
前記マーカー登録部は、前記マーカー登録画面に対して行われたユーザー操作に応じて前記読取部に原稿を読み取らせ、前記第１の色または前記第２の色を当該原稿の読み取りによりに前記読取部が取得した画像データに示された色に変更する、請求項１０に記載の電子機器。
【請求項１２】
前記処理部は、前記取得部が取得した画像データから、前記マーカー検出部が検出した前記第１マーカー箇所および前記第２マーカー箇所に示されたマーキングを除去し、当該除去後の画像データを送信する処理を行う、請求項１に記載の電子機器。
【請求項１３】
前記処理部は、前記取得部が取得した画像データに対して、前記第１マーカー箇所に示されたテキストが前記画像データのファイル名であり、前記第２マーカー箇所に示されたテキストが前記画像データを送信する送信先であることを示す情報を付加したデータを生成し、当該生成したデータを送信する処理を行う、請求項１に記載の電子機器。
【請求項１４】
原稿を示す画像データを取得する取得部と、
前記画像データを解析して、前記画像データ内に示された第１マーカー箇所および前記第１マーカー箇所とは異なる態様で前記画像データ内に示された第２マーカー箇所を検出するとともに、当該第１マーカー箇所および第２マーカー箇所に示されたテキストを抽出するマーカー検出部と、
前記第１マーカー箇所に示されたテキストを前記画像データのファイル名とし、前記第２マーカー箇所に示されたテキストを前記画像データを送信する送信先として、前記画像データを送信する処理を行う処理部と、を備え、
前記処理部は、前記第２マーカー箇所に示されたテキストをＴＯ宛先とした電子メールの添付ファイルとして、前記画像データを送信する処理を行い、
前記処理部は、前記第２マーカー箇所に示されたテキストが電子メールの宛先であるか、または本画像読取装置に内蔵された記憶部内の領域名であるかを判定し、
前記第２マーカー箇所に示されたテキストが電子メールの宛先である場合に、当該テキストを電子メールの宛先とした電子メールを送信する処理を前記画像データを送信する処理として行い、
前記第２マーカー箇所に示されたテキストが本画像読取装置に内蔵された記憶部内の領域を示す場合に、当該領域に前記画像データを記憶させる処理を前記画像データを送信する処理として行う、電子機器。
【請求項１５】
原稿を示す画像データを取得する取得部と、
前記画像データを解析して、前記画像データ内に示された第１マーカー箇所および前記第１マーカー箇所とは異なる態様で前記画像データ内に示された第２マーカー箇所を検出するとともに、当該第１マーカー箇所および第２マーカー箇所に示されたテキストを抽出するマーカー検出部と、
前記第１マーカー箇所に示されたテキストを前記画像データのファイル名とし、前記第２マーカー箇所に示されたテキストを前記画像データを送信する送信先として、前記画像データを送信する処理を行う処理部と、を備え、
前記処理部は、前記マーカー検出部が前記第１マーカー箇所を複数検出した場合に、当該複数の第１マーカー箇所に示された各テキストを結合したテキストを前記画像データのファイル名として、前記画像データを送信する処理を行う、電子機器。
【請求項１６】
原稿を示す画像データを取得する取得ステップと、
前記画像データを解析して、前記画像データ内に示された第１マーカー箇所および前記第１マーカー箇所とは異なる態様で前記画像データ内に示された第２マーカー箇所を検出するとともに、当該第１マーカー箇所および第２マーカー箇所に示されたテキストを抽出するマーカー検出ステップと、
前記第１マーカー箇所に示されたテキストを前記画像データのファイル名とし、前記第２マーカー箇所に示されたテキストを前記画像データを送信する送信先として、前記画像データを送信する処理を行う処理ステップと、
ユーザー操作に応じて、マーカーの色、マーカーの線種、およびマーカーの太さの要素のうちから、１つまたは複数の要素の選択指示を受け付ける操作受付ステップと、を含み、
前記マーカー検出ステップでは、前記操作受付ステップで選択指示を受け付けた要素に基づいて、前記画像データ内に示されたマーカー箇所が前記第１マーカー箇所または前記第２マーカー箇所であるかを判定する、マーカー処理方法。
【国際調査報告】
2017150084.tif 000011
2017150084.tif 000012
2017150084.tif 000013
2017150084.tif 000014